(57)【要約】【課題】構造が簡易であり、腕部の延出角度の調整を栽培ベッドの構造に係わりなく容易、かつ確実に行える果実支持体用の支持具を提供する。【解決手段】取り付け部材２は、取り付け部５、軸受け部６を具備し、取り付け部５で金属管材３２に固定される。軸受け部６は、軸挿通孔７と、その周りの垂直の係合面８を具備する。腕部材３は、軸受け部６と対向する軸部９を備え、軸筒部１２が軸挿通孔７に相対回転及び軸方向相対移動自在に嵌合する。軸筒部１２周りに係合面１１を有する。腕部材３上に果実支持体３４を支持する。係脱操作機構４は、ガイド筒１４と、カムダイアル１３とを具備する。カムダイアル１３を回転させると、ガイド筒１４の先端に沿ってカム１５ｃが摺動し、カム１５ｃが切り欠き１４ａに合致すれば、腕部材３が取り付け部材２から軸方向に離れ、係合歯８ａ、１１ａの相互係合が解かれ、取り付け部材２に対する腕部材３の延出角を調整できる。【選択図】図１
2019071840.tif 000002
【特許請求の範囲】
【請求項１】
金属管材を組んで形成される架台上に設けられる栽培ベッドで栽培され、当該栽培ベッドの側方へ成長して垂れ下がる果実を、下方から支持するための果実支持体を、当該栽培ベッドの側部に支持するための支持具であって、
前記金属管材に固定される取り付け部材と、基端側において当該取り付け部材に枢軸周りに角度調整自在に枢支され栽培ベッドの側方へ延出して上面に前記果実支持体を支持する腕部材と、当該腕部材と前記取り付け部材との枢軸周りの相対回転を拘束又は許容する係脱操作機構と具備し、
前記取り付け部材は、前記金属管材への取り付け部と、軸受け部とを具備し、
前記腕部材は、前記取り付け部材の軸受け部と水平方向に対向する軸部と、当該軸部から延出する腕部とを具備し、
前記取り付け部材の軸受け部は、水平方向の軸挿通孔と、当該軸挿通孔の周りに形成される垂直係合面とを具備し、
前記腕部材の軸部は、前記取り付け部材の軸挿通孔に軸周り相対回転及び軸方向相対移動自在に嵌合する軸筒部と、当該軸筒部の周りに形成され前記取り付け部材の垂直係合面に対面する垂直係合面とを具備し、
前記取り付け部材及び前記腕部材の垂直係合面は、それぞれ相互の枢軸周りの所定の相互回転角度毎に軸方向に係脱する複数の係合歯を具備し、
前記係脱操作機構は、前記取り付け部材を挟んで前記軸筒部に固定され、軸方向にカムが突出するカムダイアルと、前記軸受け部の垂直係合面の反対面に軸挿通孔の周りに軸方向へ立ち上がり、前記軸筒部と共に回転する前記カムダイアルのカムが先端面を軸周りに摺動し、先端面の凹凸に従って前記腕部材を前記取り付け部材に対して相対移動させるガイド筒とを具備し、
前記カムダイアルを回転させて前記ガイド筒の凸部に前記カムを合致させることにより、前記軸受け部の垂直係合面と前記軸部の垂直係合面とを接合し、前記係合歯を相互係合させて、前記取り付け部材と前記腕部材とを固定し、また前記ガイド筒の凹部にカムを合致させることにより、軸受け部の垂直係合面と軸部の垂直係合面とを離し、係合歯の相互係合を解いた状態で、前記取り付け部材に対する前記腕部材の延出角度を調整自在に構成されることを特徴とする果実支持体用支持具。
【請求項２】
前記カムダイアルは、軸方向に前記ガイド筒に嵌合する小径部と、小径部の先端の一部から軸方向に突出したストッパとを具備し、
前記ガイド筒は、前記ストッパを受け入れてその移動範囲を軸周り一定の角度に制限することにより前記カムダイアルの回転を一定角度に規制し、移動範囲の一端に対応する前記カムの当接位置が前記凸部であり、それの他端に対応するカムの当接位置が前記凹部である円弧溝と、この円弧溝の当該一端に対応する前記カムの当接位置にカム保持用の小凹部とを具備することを特徴とする請求項１に記載の果実支持体用支持具。
【請求項３】
前記取り付け部材の取り付け部は、垂直に配置される前記金属管材の上端に差し込んで前記架台に固定するように前記軸受け部から垂直下方へ延出する差し込み脚部と、水平に配置される前記金属管材を把持して前記架台に固定するように  前記軸受け部の側部に形成される把持部とを具備し、
前記差し込み脚部又は前記把持部のいずれかにより前記架台に固定可能に構成されることを特徴とする請求項１又は２に記載の果実支持体用支持具。
【請求項４】
前記架台を構成する垂直の金属管材を把持する管把持部と、把持状態における当該管把持部から水平に突出する円柱状接続突部とを具備する付加取り付け部材をさらに具備し、
前記取り付け部材の把持部は、前記付加取り付け部材の円柱状接続突部を把持可能に構成されることを特徴とする請求項３に記載の果実支持体用支持具。
【発明の詳細な説明】
【技術分野】
【０００１】
本発明は、架台上に設けられる栽培ベッドで栽培されるイチゴなどの植物の結果枝が、栽培ベッドから垂れ下がらないように設けられる果実支持体を、栽培ベッドの側部に支持するための支持具に関する。
【背景技術】
【０００２】
従来、架台上に設けられる栽培ベッドでイチゴなどの植物を栽培する高設栽培と称される栽培方法が知られている。高設栽培においては、結果枝が成長することにより栽培ベッドの側方へ垂れ下がる果実を、下方から支持して保護するためのネットやワイヤのような果実支持体が、栽培ベッドの側部に沿って敷設される。
この果実支持体を支持するための器具として、特許文献１に記載されたものが知られている。この器具は、全体が略Ｌ字型で、その一辺の基端部が架台へ取り付けられる取り付け部であり、他辺が果実支持体を上面で支持する緩やかな湾曲状の支持腕である。支持腕の両端部に、ピンを脱着するためのピン穴を備える。ピン穴にピンを差し止めて、張り渡された果実支持体を固定する。シートやネット等の果実支持体を破損無く、簡便且つ低コストで支持し、張り直し、張り具合の再調整を可能とする。
特許文献２には、栽培ベッドの側部に張設される玉乗せシートやネット、ワイヤ類を支持する玉受支持部材が記載されている。玉受支持部材は、湾曲膨出した上面と平坦な下面とを備えた断面下弦月形状の玉受部を備え、この玉受部の基端部に栽培ベッド支持部材に回動可能に取り付けできる取付把持部を備える。下面の中間部から斜め下方へ長さ調整可能な支持腕部が突出する（図８参照）。支持腕部は、腕本体内に伸縮腕をスライド可能に嵌合して構成され、伸縮させることにより、玉受支持部材の傾斜角度を適宜調整する。日照角度や果実の成長度に合わせて玉受部の傾斜角度を調整し、果実の生育を促進させる。
また、本願出願人は、金属管材で組んだ架台上の栽培ベッドで栽培され、栽培ベッドの側方へ成長して垂れ下がる果実を、下方から支持するための果実支持体を栽培ベッドの側部に支持する支持具について特願２０１６−１３５２９０に係る発明を提案した。この支持具は、金属管材に固定される取り付け部材に腕部材の基端側を枢軸周りに角度調整自在に枢支し、栽培ベッドの側方へ延出して上面に果実支持体を支持する。取り付け部材における軸挿通孔周りの係合面を備えた軸受け部と、これに対向する腕部材における軸筒部周りの係合面を有する軸部とを相対回転及び軸方向相対移動自在に嵌合する。腕部材と取り付け部材との枢軸周りの相対回転を拘束又は許容する係脱操作部材は、取り付け部材にばね受け部材と腕部材の軸筒部とにばねを介在させ、取り付け部材側からばね受け部材をばね力に抗して押し込んで、係合歯の相互係合を解いた状態で、取り付け部材に対する腕部材の延出角度を調整することができる。
【先行技術文献】
【特許文献】
【０００３】
【特許文献１】特開２００５−２８７３５５号公報
【特許文献２】特開２００３−１１１５２２号公報
【発明の概要】
【発明が解決しようとする課題】
【０００４】
特許文献２において、玉受支持部材を角度調整するための支持腕は、その先端を栽培ベッドのいずれかの部位に当接させる必要がある。ところが、栽培ベッドの構造は多種多様で、支持腕の先端を当接させる部位がない場合があるから、その適用範囲は限られる。また、特願２０１６−１３５２９０の支持具は、係脱操作部材のばね力が弱すぎると、係合歯の相互係合が弱体化したり、逆にばね力が強すぎて角度調整操作がし難くなる。
したがって、発明は、ネットやワイヤなどの果実支持体を支持するための支持具であって、小型で、構造が簡易であり、その延出角度の調整を栽培ベッドの構造に係わりなく容易、かつ確実に行えるものを提供することを目的としている。
【課題を解決するための手段】
【０００５】
以下、添付図面の符号を参照して説明するが、本発明はこれに限定されるものではない。
上記課題を解決するための、本発明の支持具１は、金属管材３２を組んで形成される架台３１上に設けられる栽培ベッド３３に適用される果実支持体３４を、当該栽培ベッド３３の側部に支持するもので、取り付け部材２と、腕部材３と、係脱操作機構４とを具備する。取り付け部材２は、取り付け部５と軸受け部６とを具備し、取り付け部５において金属管材３２に固定される。腕部材３は、基端側において取り付け部材２に枢軸周りに角度調整自在に枢支され、栽培ベッド３３の側方へ延出して上面に果実支持体３４を支持する。腕部材３は、取り付け部材２の軸受け部６と水平方向に対向する軸部９と、当該軸受け部６から延出する腕部１０とを具備する。取り付け部材２の軸受け部６は、水平方向の軸挿通孔７と、当該軸挿通孔７の周りに形成される垂直係合面８とを具備する。腕部材３の軸部９は、軸挿通孔７に軸周り相対回転及び軸方向相対移動自在に嵌合する軸筒部１２と、当該軸筒部１２の周りに形成され取り付け部材２の垂直係合面８に対面する垂直係合面１１とを具備する。取り付け部材２及び腕部材３の垂直係合面８，１１は、それぞれ相互の枢軸周りの所定の相互回転角度毎に軸方向に係脱する複数の係合歯８ａ，１１ａを具備する。係脱操作機構４は、軸筒部１２の先端部に固定され、軸方向にカム１５ｃが突出するカムダイアル１３と、軸受け部６の垂直係合面８の反対面に軸挿通孔７の周りに軸方向へ立ち上がり、軸筒部１２と共に回転するカムダイアル１５のカムが先端面を軸周りに摺動し、先端面の凹凸に従って腕部材３を取り付け部材２に対して相対移動させるガイド筒１４とを具備する。カムダイアル１３を回転させてガイド筒１４の凸部にカム１５ｃを合致させることにより、軸受け部６の垂直係合面８と軸部９の垂直係合面１１とが接合し、係合歯８ａ，１１ａを相互係合させて、取り付け部材２と腕部材３とを固定する。またカムダイアル１３を反転させてガイド筒１４の凹部にカム１５ｃを合致させることにより、軸受け部６の垂直係合面８と軸部９の垂直係合面１１とを離し、係合歯８ａ，１１ａの相互係合を解いた状態で、取り付け部材に対する腕部材３の延出角度を調整することができる。
【発明の効果】
【０００６】
本発明の支持具１は、カムダイアル１３を軸周りに回転させて、カム１５ｃを切り欠き１４ａに合致させれば、腕部材３が取り付け部材２から相対的に離れるので、取り付け部材２に対して腕部材３を回転させることで、容易に腕部材３の延出角度を調整でき、操作が適正なばね力に依存することもない。腕部材３は、取り付け部材２に支持され、他に栽培ベッド３３等に支持する必要がない。したがって、支持具１は、栽培ベッド３３の構造にかかわらず、広範な高設栽培構造に適用可能である。
【図面の簡単な説明】
【０００７】
【図１】本発明に係る支持具の分解斜視図である。
【図２】図１の支持具の正面図である。
【図３】図１の支持具の縦断面図である。
【図４】取り付け部材の正面図である。
【図５】カムダイアルの背面図である。
【図６】カムダイアルの斜視図である。
【図７】カムの位置に対応する係脱操作機構４の横断面図であり、（Ａ）は垂直係合面の接合状態、（Ｂ）は垂直係合面の離反状態を示す。
【図８】図１の支持具の使用例を示す正面図である。
【図９】図１の支持具の他の使用例を示す正面図である。
【図１０】本発明の支持具の他の実施形態を示す分解斜視図である。
【図１１】図１０の支持具の使用例を示す正面図である。
【発明を実施するための形態】
【０００８】
図面を参照して本発明の実施の形態を説明する。
図８、図９に高設栽培構造の一例を示す。金属管材３２を組んで形成される架台３１上に、イチゴ等の植物Ｐが栽培される栽培ベッド３３が支持される。架台３１及び栽培ベッド３３の具体的構造は、図示のものの他に種々存在する。栽培ベッド３３の上部には、側方へ延出するように、果実支持体３４が敷設される。図示する果実支持体３４は、ネット状のものであるが、栽培ベッドの側部に沿って張設される複数の支持ワイヤからなるものも存在する。果実支持体３４は、結果枝Ｐ１が成長することにより栽培ベッド３３の側方へ垂れ下がる果実Ｐ２を、下方から支持して保護する。
【０００９】
支持具１は、果実支持体３４を栽培ベッド３３の側部に支持するもので、取り付け部材２、腕部材３、係脱操作機構４を具備する。
【００１０】
取り付け部材２は、合成樹脂製で、架台３１を構成する金属管材３２に固定される。
【００１１】
腕部材３は、同様の合成樹脂製で、図1に示すように、基端側において取り付け部材２に、垂直面に沿って回転自在に枢支される。腕部材３は、栽培ベッド３３の側方へ延出し、上面に果実支持体３４(図８，図９)を支持する。
【００１２】
係脱操作機構４は、腕部材３と取り付け部材３とを相互係合させて拘束するが、操作時に相互係合を解いて相対回転を可能とする。
【００１３】
図１において、取り付け部材２は、金属管材３２への取り付け部５と、軸受け部６と具備する。取り付け部５は、差し込み脚部５ａと把持部５ｂとを具備する。差し込み脚部５ａは、図８に示すように、架台３１を構成する垂直の金属管材３２ａの上端へ嵌合させて固定される。把持部５ｂは、図９に示すように、架台３１を構成する水平の金属管材３２ｂを把持して固定される。取り付け部５は、上端に開口する垂直の金属管材３２ａか、水平の金属管材３２ｂのいずれかを有する架台構造に適用できるようになっている。差し込み脚部５ａは、軸受け部６から一体に垂直下方へ延出する。把持部５ｂは、切欠円筒状で、軸受け部６の側部に張り出すように一体に形成される。
【００１４】
取り付け部材２の軸受け部６は、水平方向の軸挿通孔７と、当該軸挿通孔７の周りに形成される垂直係合面８とを具備する。垂直係合面８は、軸挿通孔７の周りに放射状に形成される複数の係合歯８ａを具備する。
【００１５】
腕部材３は、取り付け部材２の軸受け部６と水平方向に対向する軸部９と、当該軸部９から延出する腕部１０とを具備する。腕部１０の上面には、果実支持体であるネット３４や、ワイヤを係止するための複数の係止突起１０ａが形成される。軸部９は、取り付け部材２の垂直係合面８に対面する垂直係合面１１と、垂直係合面１１の中心から水平に突出する段付きの軸筒１２を具備する。軸筒１２は、軸挿通孔７に軸周り回転自在、軸方向に摺動自在に嵌合する。
【００１６】
係脱操作機構４は、腕部材３の軸筒１２に固着されるカムダイアル１３と、取り付け部材２の軸受け部６に突設されるガイド筒１４とを具備する。図３，図５，図６に示すように、カムダイアル１３の中心部には、嵌合軸筒１２の先端部が嵌合する段付きの嵌合孔１３ａを備える。カムダイアル１３は、外周面１５ａに周方向等間隔に複数の円弧状凹凸を備えると共に、軸筒１２に螺合されるボルト１７を貫通させるワッシャ１８が嵌合する凹部１５ｂを備えた大径摘み部１５と、取り付け部材２のガイド筒１４に嵌合する小径嵌合部１６とを具備する。大径摘み部１５には、小径嵌合部１６の外周対向位置に軸方向に突出して小径嵌合部１６がガイド筒１４に嵌合した状態でガイド筒１４の先端に突き合わされる一対のカム１５ｃとを具備する。小径嵌合部１６の先端部には、周方向９０°の範囲で軸方向に突出したストッパ１６ａを備える。
【００１７】
ガイド筒１４は、図３，図４に示すように、軸受け部６の垂直係合面８の反対面に軸挿通孔７周りに突設され、内側にカムダイアル１３の小径嵌合部１６が嵌合する。ガイド筒１４の先端の上下対向縁には軸方向に凹んだ一対の切り欠き１４ａを備える。ガイド筒１４の切り欠き１４ａの直交位置に軸方向に僅かに凹んだ一対の小切り欠き１４ｂを備える。従って、カム１５ｃがガイド筒１４の先端に当接し、カムダイアル１３の回転に伴いこれに沿ってカム１５ｃが軸周りに摺動すると、ガイド筒１４の切り欠き１４ａ及び小切り欠き１４ｂにおいてカムダイアル１３が固定された腕部材３とガイド筒１４が設けられた取り付け部材２とが軸方向に相対的に接近して、互いの垂直係合面８，１１を接合させる。ガイド筒１４の基部内周には、カムダイアル１３が嵌合した状態でストッパ１６ａを受け入れてその移動範囲を軸周り９０°に制限することによりカムダイアル１３の回転を一定角度に規制する円弧溝１４ｃを備えている。
【００１８】
カムダイアル１３を図中反時計方向に回転させると、これに伴いガイド筒１４の先端に沿ってカム１５ｃが軸周りに摺動し、図７（Ａ）に示すように、カム１５ｃが切り欠き１４ａに合致すれば、カムダイアル１３と共に腕部材３が取り付け部材２から軸方向に相対的に離れて、係合歯８ａ、１１ａの相互係合が解かれる。この状態で、腕部材３を回転させて、取り付け部材２に対する腕部材３の延出角度を調整する。腕部材３を所望の延出角度に配置して、カムダイアル１３を反転させると、これに伴いガイド筒１４の先端に沿ってカム１５ｃが軸周りに摺動し、図７（Ｂ）に示すように、カム１５ｃが切り欠き１４ａから離脱し、カムダイアル１３と共に腕部材３が取り付け部材２に軸方向に相対的に接近して、係合歯８ａ、１１ａが係合し、腕部材３が取り付け部材２に固定される。係合歯８ａ、１１ａの係合状態ではカム１５ｃが小切り欠き１４ｂに合致して保持される。カムダイアル１３は、ストッパ１６ａが円弧溝１４ｃの両端に当接するほぼ９０°の範囲で回転が制限される。
【００１９】
図１０，１１に示す他の実施形態においては、取り付け部材１９をさらに具備する。付加取り付け部材１９は、架台３１を構成する垂直の金属管材３２を把持する管把持部２０と、把持状態において管把持部２０から水平に突出する円柱状の接続突部２１とを具備する。取り付け部材２の把持部５ｂは、付加取り付け部材１９の円柱状接続突部２１を把持可能に構成される。
【００２０】
支持具１が、付加取り付け部材１５をさらに具備すれば、例えば上端に開口を有しない垂直の金属管材３２の適宜高さ位置に装着して使用することができる。
【符号の説明】
【００２１】
１      支持具
２      取り付け部材
３      腕部材
４      係脱操作機構
５      取り付け部
６      軸受け部
７      軸挿通孔
８      係合面
８ａ    係合歯
９      軸部
１０    腕部
１１    係合面
１１ａ  係合歯
１２    軸筒
１３    カムダイアル
１３ａ  嵌合孔
１４    ガイド筒
１４ａ  切り欠き
１４ｂ  小切り欠き
１４ｃ  円弧溝
１５    大径摘み部
１５ａ  外周面
１５ｂ  凹部
１５ｃ  カム
１６    小径嵌合部
１６ａ  ストッパ
１７    ボルト
１８    ワッシャ
１９    付加取り付け部材
２０    管把持部
２１    円柱状接続突起
３１    架台
３２    金属管材
３３    栽培ベッド
３４    果実支持体
Ｐ      植物
Ｐ１    結果枝
Ｐ２    果実
【図１】
2019071840.tif 000003
【図２】
2019071840.tif 000004
【図３】
2019071840.tif 000005
【図４】
2019071840.tif 000006
【図５】
2019071840.tif 000007
【図６】
2019071840.tif 000008
【図７】
2019071840.tif 000009
【図８】
2019071840.tif 000010
【図９】
2019071840.tif 000011
【図１０】
2019071840.tif 000012
【図１１】
2019071840.tif 000013